(57)【要約】（Ａ）成分、（Ｂ）成分、及び（Ｃ）成分を含有する繊維製品用液体洗浄剤組成物を可撓性容器に収容してなる繊維製品用液体洗浄剤製品であって、前記（Ａ）成分がノニオン界面活性剤であり、前記（Ｂ）成分が有機カルボン酸（ただし前記（Ｃ）成分に該当するものを除く）であり、前記（Ｃ）成分が酸化防止剤であり、繊維製品用液体洗浄剤組成物の総質量に対し、前記（Ａ）成分の含有量が８質量％以上であり、前記（Ｂ）成分の含有量が５質量％以上であり、前記（Ｃ）成分の含有量が０．０００１〜０．２質量％であり、２５℃におけるｐＨが７未満である、繊維製品用液体洗浄剤製品。【特許請求の範囲】
【請求項１】
（Ａ）成分、（Ｂ）成分、及び（Ｃ）成分を含有する繊維製品用液体洗浄剤組成物を可撓性容器に収容してなる繊維製品用液体洗浄剤製品であって、
前記（Ａ）成分がノニオン界面活性剤であり、
前記（Ｂ）成分が有機カルボン酸（ただし前記（Ｃ）成分に該当するものを除く）であり、
前記（Ｃ）成分が酸化防止剤であり、
前記（Ａ）成分の含有量が、繊維製品用液体洗浄剤組成物の総質量に対し、８質量％以上であり、
前記（Ｂ）成分の含有量が、繊維製品用液体洗浄剤組成物の総質量に対し、５質量％以上であり、
前記（Ｃ）成分の含有量が、繊維製品用液体洗浄剤組成物の総質量に対し、０．０００１〜０．２質量％であり、
２５℃におけるｐＨが７未満である、繊維製品用液体洗浄剤製品。
【請求項２】
前記繊維製品用液体洗浄剤組成物がさらに（Ｄ）成分を含有し、
前記（Ｄ）成分が抗菌剤である、請求項１に記載の繊維製品用液体洗浄剤製品。
【請求項３】
前記繊維製品用液体洗浄剤組成物がさらに（Ｅ）成分を含有し、
前記（Ｅ）成分がアニオン界面活性剤である、請求項１又は２に記載の繊維製品用液体洗浄剤製品。
【請求項４】
前記（Ａ）成分が、下記式（ａ−１）で表される化合物、及び下記式（ａ−３）で表される化合物を含む、請求項１〜３のいずれか一項に記載の繊維製品用液体洗浄剤製品。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−、又は−Ｃ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
Ｒ１５−Ｘ２−［（ＥＯ）ａ／（ＢＯ）ｂ］−Ｒ１６  ・・・（ａ−３）
式（ａ−３）中、Ｒ１５は炭素数８〜２４の１価の炭化水素基であり、Ｘ２は−Ｏ−、−Ｃ（Ｏ）Ｏ−又は−Ｃ（Ｏ）ＮＨ−であり、Ｒ１６は水素原子、炭素数１〜６のアルキル基、又は炭素数２〜６のアルケニル基であり、ａはＥＯの平均繰り返し数を表し、１〜３０の数であり、ｂはＢＯの平均繰り返し数を表し、１〜２０の数であり、ＥＯはオキシエチレン基を表し、ＢＯはオキシブチレン基を表し、ＥＯとＢＯとは混在して配列してもよい。
【請求項５】
請求項１〜４のいずれか一項に記載の繊維製品用液体洗浄剤製品における前記可撓性容器に収容された前記繊維製品用液体洗浄剤組成物を希釈した洗浄液に、ｐ−クレゾールが付着した繊維製品を接触させる工程を含む、繊維製品の洗浄方法。
【発明の詳細な説明】
【技術分野】
【０００１】
本発明は、繊維製品用液体洗浄剤製品に関する。
本願は、２０１７年１２月１日に、日本に出願された特願２０１７−２３２０１９号に基づき優先権を主張し、その内容をここに援用する。
【背景技術】
【０００２】
高齢者や要介護者のいる家庭や介護施設では、衣類に付着した尿臭が問題となっている。さらに、尿臭は通常の洗濯では落としにくいという問題がある。このような状況に鑑み、市場においては、衣類に付着した尿臭を低減できる（尿臭除去効果が高い）洗剤が求められている。【０００３】
特許文献１には、アニオン界面活性剤、ノニオン界面活性剤、過酸化水素、金属イオン封鎖剤、ラジカルトラップ剤、及び水を含有する繊維製品用液体洗浄剤組成物について提案している。
【先行技術文献】
【特許文献】
【０００４】
【特許文献１】特開２０１４−２１４１７１号公報
【発明の概要】
【発明が解決しようとする課題】
【０００５】
特許文献１の組成物では、尿臭除去効果は充分ではない。
本発明者らは、鋭意検討した結果、ノニオン界面活性剤を含む酸性液体洗浄剤が尿臭除去に効果的であることを見出した。
しかしながら、ノニオン界面活性剤を含む酸性液体洗浄剤は、容器中のヘッドスペース（容器中の空気が占める領域）の空気に含まれる酸素ガスを吸収しやすい。酸素ガスを吸収することにより、容器が凹むという問題がある。
本発明は上記事情に鑑みてなされたものであり、尿臭除去効果及び酸素ガス吸収抑制効果に優れた繊維製品用液体洗浄剤製品を提供することを目的とする。
【課題を解決するための手段】
【０００６】
本発明者らは以下の繊維製品用液体洗浄剤製品が、上記課題を解決できることを見出した。
すなわち本発明は、以下の態様を有する。
［１］  （Ａ）成分、（Ｂ）成分、及び（Ｃ）成分を含有する繊維製品用液体洗浄剤組成物を可撓性容器に収容してなる繊維製品用液体洗浄剤製品であって、
前記（Ａ）成分がノニオン界面活性剤であり、
前記（Ｂ）成分が有機カルボン酸（ただし前記（Ｃ）成分に該当するものを除く）であり、
前記（Ｃ）成分が酸化防止剤であり、
前記（Ａ）成分の含有量が、繊維製品用液体洗浄剤組成物の総質量に対し、８質量％以上であり、
前記（Ｂ）成分の含有量が、繊維製品用液体洗浄剤組成物の総質量に対し、５質量％以上であり、
前記（Ｃ）成分の含有量が、繊維製品用液体洗浄剤組成物の総質量に対し、０．０００１〜０．２質量％であり、
２５℃におけるｐＨが７未満である、繊維製品用液体洗浄剤製品。
［２］  前記繊維製品用液体洗浄剤組成物がさらに（Ｄ）成分を含有し、
前記（Ｄ）成分が抗菌剤である、［１］に記載の繊維製品用液体洗浄剤製品。
［３］  前記繊維製品用液体洗浄剤組成物がさらに（Ｅ）成分を含有し、
前記（Ｅ）成分がアニオン界面活性剤である、［１］又は［２］に記載の繊維製品用液体洗浄剤製品。
［４］  前記（Ａ）成分が、下記式（ａ−１）で表される化合物、及び下記式（ａ−３）で表される化合物を含む、［１］〜［３］のいずれか一項に記載の繊維製品用液体洗浄剤製品。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−、又は−Ｃ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
Ｒ１５−Ｘ２−［（ＥＯ）ａ／（ＢＯ）ｂ］−Ｒ１６  ・・・（ａ−３）
式（ａ−３）中、Ｒ１５は炭素数８〜２４の１価の炭化水素基であり、Ｘ２は−Ｏ−、−Ｃ（Ｏ）Ｏ−又は−Ｃ（Ｏ）ＮＨ−であり、Ｒ１６は水素原子、炭素数１〜６のアルキル基、又は炭素数２〜６のアルケニル基であり、ａはＥＯの平均繰り返し数を表し、１〜３０の数であり、ｂはＢＯの平均繰り返し数を表し、１〜２０の数であり、ＥＯはオキシエチレン基を表し、ＢＯはオキシブチレン基を表し、ＥＯとＢＯとは混在して配列してもよい。
［５］前記（Ｂ）成分が、クエン酸、酒石酸、リンゴ酸、乳酸、ヒドロキシ酪酸、及びグリコール酸からなる群から選択される少なくとも１種である、［１］〜［４］のいずれか一項に記載の繊維製品用液体洗浄剤製品。
［６］  前記（Ｃ）成分が、ＢＨＴ（ジブチルヒドロキシトルエン）、ＢＨＡ（ブチルヒドロキシアニソール）、ビタミンＥ（トコフェロール）、エリソルビン酸ナトリウム、メトキシフェノール、二酸化硫黄、コーヒー豆抽出物（クロロゲン酸）、緑茶抽出物（カテキン）、及びローズマリー抽出物からなる群から選択される少なくとも１種である、［１］〜［５］のいずれか一項に記載の繊維製品用液体洗浄剤製品。
［７］  （Ａ）成分／（Ｂ）成分で表される質量比が、１．６以上である、［１］〜［６］のいずれか一項に記載の繊維製品用液体洗浄剤製品。
［８］  （Ｂ）成分／（Ｃ）成分で表される質量比が、２５以上である、［１］〜［７］のいずれか一項に記載の繊維製品用液体洗浄剤製品。
［９］  前記繊維製品用液体洗浄剤組成物がさらに（Ｄ）成分を含有し、
前記（Ｄ）成分が、（ｄ−１）成分、（ｄ−２）成分及び（ｄ−３）成分からなる群から選択される少なくとも１種の抗菌剤であり、
前記（ｄ−１）成分が４級窒素原子の置換基として、直鎖状もしくは分岐鎖状の炭素数１〜１６のアルキル基、直鎖状もしくは分岐鎖状の炭素数１〜１６のアルケニル基、炭素数１〜１６のヒドロキシアルキル基又は炭素数１〜１６のフェニルアルキル基を有する第４級アンモニウム塩であり、
前記（ｄ−２）成分がフェノール系抗菌剤であり、
前記（ｄ−３）成分がビグアニド化合物である、［１］〜［８］のいずれか一項に記載の繊維製品用液体洗浄剤製品。
［１０］  前記繊維製品用液体洗浄剤組成物がさらに（Ｅ）成分を含有し、
前記（Ｅ）成分が、直鎖アルキルベンゼンスルホン酸又はその塩である、［１］〜［８］のいずれか一項に記載の繊維製品用液体洗浄剤製品。
［１１］  前記（Ａ）成分が、下記式（ａ−１）で表される化合物、及び下記式（ａ−３）で表される化合物を含み、（式（ａ−１）で表される化合物）／（式（ａ−３）で表される化合物）で表される質量比が３〜５５が好ましく、４〜２０がより好ましく、５〜１０がさらに好ましい、［１］〜［１０］のいずれか一項に記載の繊維製品用液体洗浄剤製品。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−、又は−Ｃ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
Ｒ１５−Ｘ２−［（ＥＯ）ａ／（ＢＯ）ｂ］−Ｒ１６  ・・・（ａ−３）
式（ａ−３）中、Ｒ１５は炭素数８〜２４の１価の炭化水素基であり、Ｘ２は−Ｏ−、−Ｃ（Ｏ）Ｏ−又は−Ｃ（Ｏ）ＮＨ−であり、Ｒ１６は水素原子、炭素数１〜６のアルキル基、又は炭素数２〜６のアルケニル基であり、ａはＥＯの平均繰り返し数を表し、１〜３０の数であり、ｂはＢＯの平均繰り返し数を表し、１〜２０の数であり、ＥＯはオキシエチレン基を表し、ＢＯはオキシブチレン基を表し、ＥＯとＢＯとは混在して配列してもよい。
［１２］  前記（Ａ）成分の含有量は、繊維製品用液体洗浄剤組成物の総質量に対し、８〜５０質量％が好ましく、１５〜４０質量％がより好ましく、１５〜３０質量％がさらに好ましい、［１］〜［１１］のいずれか一項に記載の繊維製品用液体洗浄剤製品。
［１３］  前記（Ｂ）成分の含有量は、繊維製品用液体洗浄剤組成物の総質量に対し、５〜２０質量％が好ましく、７〜１２質量％がより好ましい、［１］〜［１２］のいずれか一項に記載の繊維製品用液体洗浄剤製品。
［１４］  前記（Ｃ）成分の含有量は、繊維製品用液体洗浄剤組成物の総質量に対し、０．００１〜０．０５質量％である、［１］〜［１３］のいずれか一項に記載の繊維製品用液体洗浄剤製品。
［１５］  ２５℃におけるｐＨは２〜６が好ましく、３〜５がより好ましい、［１］〜［１４］のいずれか一項に記載の繊維製品用液体洗浄剤製品。
［１６］  ［１］〜［１５］のいずれか一項に記載の繊維製品用液体洗浄剤製品における前記可撓性容器に収容された前記繊維製品用液体洗浄剤組成物を希釈した洗浄液に、ｐ−クレゾールが付着した繊維製品を接触させる工程を含む、繊維製品の洗浄方法。【０００７】
本発明は、さらに以下の態様を有する。
［１］  （Ａ）成分、（Ｂ）成分、及び（Ｃ）成分を含有し、
前記（Ａ）成分がノニオン界面活性剤であり、
前記（Ｂ）成分が有機カルボン酸（ただし前記（Ｃ）成分に該当するものを除く）であり、
前記（Ｃ）成分が酸化防止剤であり、
前記（Ａ）成分の含有量が、繊維製品用液体洗浄剤組成物の総質量に対し、８質量％以上であり、
前記（Ｂ）成分の含有量が、繊維製品用液体洗浄剤組成物の総質量に対し、５質量％以上であり、
前記（Ｃ）成分の含有量が、繊維製品用液体洗浄剤組成物の総質量に対し、０．０００１〜０．２質量％であり、
２５℃におけるｐＨが７未満である、繊維製品用液体洗浄剤組成物。
［２］  さらに（Ｄ）成分を含有し、
前記（Ｄ）成分が抗菌剤である、［１］に記載の繊維製品用液体洗浄剤組成物。
［３］  さらに（Ｅ）成分を含有し、
前記（Ｅ）成分がアニオン界面活性剤である、［１］又は［２］に記載の繊維製品用液体洗浄剤組成物。
［４］  前記（Ａ）成分が、下記式（ａ−１）で表される化合物、及び下記式（ａ−３）で表される化合物を含む、［１］〜［３］のいずれか一項に記載の繊維製品用液体洗浄剤組成物。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−、又は−Ｃ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
Ｒ１５−Ｘ２−［（ＥＯ）ａ／（ＢＯ）ｂ］−Ｒ１６  ・・・（ａ−３）
式（ａ−３）中、Ｒ１５は炭素数８〜２４の１価の炭化水素基であり、Ｘ２は−Ｏ−、−Ｃ（Ｏ）Ｏ−又は−Ｃ（Ｏ）ＮＨ−であり、Ｒ１６は水素原子、炭素数１〜６のアルキル基、又は炭素数２〜６のアルケニル基であり、ａはＥＯの平均繰り返し数を表し、１〜３０の数であり、ｂはＢＯの平均繰り返し数を表し、１〜２０の数であり、ＥＯはオキシエチレン基を表し、ＢＯはオキシブチレン基を表し、ＥＯとＢＯとは混在して配列してもよい。
［５］前記（Ｂ）成分が、クエン酸、酒石酸、リンゴ酸、乳酸、ヒドロキシ酪酸、及びグリコール酸からなる群から選択される少なくとも１種である、［１］〜［４］のいずれか一項に記載の繊維製品用液体洗浄剤組成物。
［６］  前記（Ｃ）成分が、ＢＨＴ（ジブチルヒドロキシトルエン）、ＢＨＡ（ブチルヒドロキシアニソール）、ビタミンＥ（トコフェロール）、エリソルビン酸ナトリウム、メトキシフェノール、二酸化硫黄、コーヒー豆抽出物（クロロゲン酸）、緑茶抽出物（カテキン）、及びローズマリー抽出物からなる群から選択される少なくとも１種である、［１］〜［５］のいずれか一項に記載の繊維製品用液体洗浄剤組成物。
［７］  （Ａ）成分／（Ｂ）成分で表される質量比が、１．６以上である、［１］〜［６］のいずれか一項に記載の繊維製品用液体洗浄剤組成物。
［８］  （Ｂ）成分／（Ｃ）成分で表される質量比が、２５以上である、［１］〜［７］のいずれか一項に記載の繊維製品用液体洗浄剤組成物。
［９］  前記繊維製品用液体洗浄剤組成物がさらに（Ｄ）成分を含有し、
前記（Ｄ）成分が、（ｄ−１）成分、（ｄ−２）成分及び（ｄ−３）成分からなる群から選択される少なくとも１種の抗菌剤であり、
前記（ｄ−１）成分が４級窒素原子の置換基として、直鎖状もしくは分岐鎖状の炭素数１〜１６のアルキル基、直鎖状もしくは分岐鎖状の炭素数１〜１６のアルケニル基、炭素数１〜１６のヒドロキシアルキル基又は炭素数１〜１６のフェニルアルキル基を有する第４級アンモニウム塩であり、
前記（ｄ−２）成分がフェノール系抗菌剤であり、
前記（ｄ−３）成分がビグアニド化合物である、［１］〜［８］のいずれか一項に記載の繊維製品用液体洗浄剤組成物。
［１０］  前記繊維製品用液体洗浄剤組成物がさらに（Ｅ）成分を含有し、
前記（Ｅ）成分が、直鎖アルキルベンゼンスルホン酸又はその塩である、［１］〜［８］のいずれか一項に記載の繊維製品用液体洗浄剤組成物。
［１１］  前記（Ａ）成分が、下記式（ａ−１）で表される化合物、及び下記式（ａ−３）で表される化合物を含み、（式（ａ−１）で表される化合物）／（式（ａ−３）で表される化合物）で表される質量比が３〜５５が好ましく、４〜２０がより好ましく、５〜１０がさらに好ましい、［１］〜［１０］のいずれか一項に記載の繊維製品用液体洗浄剤組成物。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−、又は−Ｃ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
Ｒ１５−Ｘ２−［（ＥＯ）ａ／（ＢＯ）ｂ］−Ｒ１６  ・・・（ａ−３）
式（ａ−３）中、Ｒ１５は炭素数８〜２４の１価の炭化水素基であり、Ｘ２は−Ｏ−、−Ｃ（Ｏ）Ｏ−又は−Ｃ（Ｏ）ＮＨ−であり、Ｒ１６は水素原子、炭素数１〜６のアルキル基、又は炭素数２〜６のアルケニル基であり、ａはＥＯの平均繰り返し数を表し、１〜３０の数であり、ｂはＢＯの平均繰り返し数を表し、１〜２０の数であり、ＥＯはオキシエチレン基を表し、ＢＯはオキシブチレン基を表し、ＥＯとＢＯとは混在して配列してもよい。
［１２］  前記（Ａ）成分の含有量は、繊維製品用液体洗浄剤組成物の総質量に対し、８〜５０質量％が好ましく、１５〜４０質量％がより好ましく、１５〜３０質量％がさらに好ましい、［１］〜［１１］のいずれか一項に記載の繊維製品用液体洗浄剤組成物。
［１３］  前記（Ｂ）成分の含有量は、繊維製品用液体洗浄剤組成物の総質量に対し、５〜２０質量％が好ましく、７〜１２質量％がより好ましい、［１］〜［１２］のいずれか一項に記載の繊維製品用液体洗浄剤組成物。
［１４］  前記（Ｃ）成分の含有量は、繊維製品用液体洗浄剤組成物の総質量に対し、０．００１〜０．０５質量％である、［１］〜［１３］のいずれか一項に記載の繊維製品用液体洗浄剤組成物。
［１５］  ２５℃におけるｐＨは２〜６が好ましく、３〜５がより好ましい、［１］〜［１４］のいずれか一項に記載の繊維製品用液体洗浄剤組成物。
［１６］  ［１］〜［１５］のいずれか一項に記載の繊維製品用液体洗浄剤組成物を希釈した洗浄液に、ｐ−クレゾールが付着した繊維製品を接触させる工程を含む、繊維製品の洗浄方法。
【発明の効果】
【０００８】
本発明によれば、尿臭除去効果及び酸素ガス吸収抑制効果に優れた繊維製品用液体洗浄剤製品を提供することができる。
【図面の簡単な説明】
【０００９】
【図１】本発明の繊維製品用液体洗浄剤製品の一例を示す斜視図である。
【発明を実施するための形態】
【００１０】
本発明の繊維製品用液体洗浄剤製品は、本発明の繊維製品用液体洗浄剤組成物を可撓性容器に収容してなる。
「可撓性」とは、容器内の圧力が変化した際に、容器が破損せずに柔軟に変形することをいう。
例えば、図１の繊維製品用液体洗浄剤製品１では、ボトル１００とボトル用キャップ１１０とを組み合わせた容器に、繊維製品用液体洗浄剤組成物１０が収容されている。
ボトル１００の平均厚さは、０．１〜５．０ｍｍが好ましい。
上記平均厚さであると、容器に可撓性を付与できる。
なお、容器の厚さはシックネスゲージで測定することができる。
可撓性容器としては、プラスチック製容器、紙製容器、及び金属製容器等が挙げられる。
プラスチック製容器の構成材料としては、ポリエチレン（ＰＥ）、ポリプロピレン（ＰＰ）、ポリエチレンテレフタレート（ＰＥＴ）、ポリブチレンテレフタレート（ＰＢＴ）、ポリシクロへキシレンジメチレンテレフタレート（ＰＣＴ）、ポリアセタール（ＰＯＭ）、ポリエチレンナフタレート（ＰＥＮ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、及びアクリロニトリル・スチレン共重合樹脂（ＡＳ）等が挙げられる。
金属製容器の構成材料としては、アルミニウム等が挙げられる。
その他、紙に金属箔を貼り合せた積層体や、プラスチックに紙を貼り合せた積層体、プラスチックに金属箔を貼り合せた積層体なども用いることができる。
可撓性容器におけるヘッドスペースの容量は、２５体積％以下が好ましく、１０〜２５体積％がより好ましい。
ヘッドスペースが上記範囲内であると、容器の凹みを抑えやすくなる。
【００１１】
≪繊維製品用液体洗浄剤組成物≫
本発明の繊維製品用液体洗浄剤組成物は、以下の（Ａ）〜（Ｃ）成分を含有する。
＜（Ａ）成分＞
（Ａ）成分はノニオン界面活性剤である。具体的には、下記式（ａ−１）で表されるポリ（オキシアルキレン）アルキルエーテル（以下、（ａ−１）成分ともいう）が挙げられる。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−、又は−Ｃ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
【００１２】
式（ａ−１）中、Ｒ１２である炭化水素基の炭素数は８〜１８であり、特に良好な洗浄力が得られやすい点で１０〜１８が好ましい。Ｒ１３は直鎖状であっても分岐鎖状であってもよい。Ｒ１２は脂肪族炭化水素基が好ましく、直鎖もしくは分岐鎖のアルキル基、又は直鎖もしくは分岐鎖のアルケニル基がより好ましい。
Ｒ１２としての炭化水素基は、１級又は２級の高級アルコール、高級脂肪酸、高級脂肪酸アミド等の原料に由来するものが挙げられる。具体的には、１級又は２級の高級アルコールからＯＨ基を除いた残基、高級脂肪酸からＣ（Ｏ）ＯＨ基を除いた残基、高級脂肪酸アミドからＣ（Ｏ）ＮＨ基を除いた残基等である。
Ｒ１３としてのアルキル基の炭素数は１〜６であり、１〜３が好ましい。Ｒ１３としてのアルケニル基の炭素数は２〜６であり、２〜３が好ましい。
Ｘは−Ｏ−、又は−Ｃ（Ｏ）Ｏ−である。Ｘが−Ｏ−のとき、（Ａ）成分はアルコールアルコキシレートである。この場合において、洗浄力が良好であることから、Ｒ１２の炭素数は１０〜１８であることが好ましく、Ｒ１２は不飽和結合を有していてもよい。また、この場合において、Ｒ１３は水素原子であることが好ましい。
Ｘが−Ｃ（Ｏ）Ｏ−であるとき、（Ａ）成分は脂肪酸エステル型非イオン界面活性剤である。この場合において、洗浄力が良好であることから、Ｒ１２の炭素数は９〜１８であることが好ましく、より好ましくは１１〜１８である。Ｒ１２は不飽和結合を有していてもよい。また、この場合において、Ｒ１３は、炭素数１〜３のアルキル基であることが好ましい。
【００１３】
式中のｓはＥＯ（オキシエチレン基）の平均繰り返し数であり、ｔはＰＯ（オキシプロピレン基）の平均繰り返し数である。ｓ及びｔは、それぞれ加重平均値を意味する。ｓ及びｔは、例えばガスクロマトグラフ質量分析計を用いて測定することができる。
ｓは３〜２０である、好ましくは５〜１８の数であり、より好ましくは９〜１６であり、さらに好ましくは１４〜１６の数である。上記下限値以上であると、尿臭除去効果を向上しやすい。上記上限値以下であると、尿臭除去効果を向上しやすく、酸素ガス吸収を防止しやすい。
ｔは０〜６であり、好ましくは０〜３の数である。ｔが６を超えると、高温下での保存安定性が低下する傾向にある。
ＥＯとＰＯとは混在して配列してもよく、（ＥＯ）ｓ／（ＰＯ）ｔは、ＥＯとＰＯとがランダム状に付加していてもよく、ブロック状に付加していてもよい。
【００１４】
また、例えば下式（ａ−２）で表されるように、ＥＯのブロック鎖−ＰＯのブロック鎖−ＥＯのブロック鎖の順に付加したものでもよく、ＥＯとＰＯのランダム鎖−ＥＯのブロック鎖の順に付加したものでもよい。
Ｒ１４−Ｏ−［（ＥＯ）ｐ／（ＰＯ）ｑ］−（ＥＯ）ｒ−Ｈ  ・・・（ａ−２）
式（ａ−２）中、Ｒ１４は炭素数８〜１８の炭化水素基である。ｐはＥＯの平均繰返し数を表し、ｑはＰＯの平均繰返し数を表し、ｒはＥＯの平均繰返し数を表し、ｐ、ｑ、ｒはｐ＞１、ｒ＞１、０＜ｑ≦３、ｐ＋ｒ＝１０〜２０を満たす数である。ＥＯはオキシエチレン基、ＰＯはオキシプロピレン基を表し、（ＥＯ）ｐ／（ＰＯ）ｑにおけるＥＯとＰＯはランダム状に配列していてもよく、ブロック状に配列していてもよい。
Ｒ１４は式（ａ−１）のＲ１２と好ましい態様も含めて同様である。
式（ａ−２）で表される成分は、公知の方法で製造することができる。例えば炭化水素基を有するアルコールに対して、エチレンオキシド、プロピレンオキシドの順に付加反応した後、又はエチレンオキシドとプロピレンオキシドとを混合付加（ランダム付加）した後、再度、エチレンオキシドを付加することで製造できる。
式（ａ−２）で表される（Ａ）成分を用いると、適度な粘度が得られやすくなり、ゲル化も抑制される。また、泡立ち性が向上し、生分解性もより良好になる。
特に式（ａ−２）におけるＥＯとＰＯとの比率は、ｑ／（ｐ＋ｒ）で表される比で０．１〜０．５であることが好ましく、より好ましくは０．１〜０．３である。ｑ／（ｐ＋ｒ）で表される比が下限値以上であると、泡が立ちすぎず、泡立ちの適正化が図られやすい。上限値以下であると、適度な粘度が得られやすくなり、ゲル化が抑制されやすい。
【００１５】
（Ａ）成分は、下記式（ａ−３）で表されるノニオン界面活性剤（以下、（ａ−３）成分ともいう）であってもよい。（ａ−３）成分は、常法により製造されてもよいし、市販品を用いてもよい。
Ｒ１５−Ｘ２−［（ＥＯ）ａ／（ＢＯ）ｂ］−Ｒ１６  ・・・（ａ−３）
【００１６】
Ｒ１５は炭素数８〜２４の１価の炭化水素基である。Ｒ１５の炭素数は、特に良好な洗浄力が得られやすい点で１０〜１８が好ましい。Ｒ１５は、直鎖状でもよく分岐鎖状でもよく、環状の構造を含んでもよい。Ｒ１５は飽和炭化水素基でもよく、不飽和結合を有していてもよい。
Ｒ１５は、脂肪族炭化水素基が好ましく、直鎖もしくは分岐鎖のアルキル基、又は直鎖もしくは分岐鎖のアルケニル基がより好ましい。
【００１７】
Ｘ２は−Ｏ−、−Ｃ（Ｏ）Ｏ−、又は−Ｃ（Ｏ）ＮＨ−である。酸性下での消泡性に優れる点で−Ｏ−が好ましい。
Ｒ１６は水素原子、炭素数１〜６のアルキル基、又は炭素数２〜６のアルケニル基である。アルキル基の炭素数は１〜３が好ましい。アルケニル基の炭素数は２〜３が好ましい。
Ｘ２が−Ｏ−のとき、Ｒ１６は水素原子であることが好ましい。
【００１８】
ＥＯはオキシエチレン基であり、ＢＯはオキシブチレン基である。
式中のａはＥＯの平均繰り返し数であり、ｂはＢＯの平均繰り返し数である。ａ及びｂは、それぞれ加重平均値を意味する。ａ及びｂは、例えばガスクロマトグラフ質量分析計を用いて測定することができる。
ａは１〜３０の数であり、好ましくは５〜２０の数であり、より好ましくは６〜１６の数である。ａが上記上限値以下であると、ＨＬＢ値が高くなりすぎるのを防ぎ、洗浄力が低下するのを防ぐことができる。一方、ａが上記下限値以上であると、（Ａ）成分自体の原料臭気が劣化するのを防ぐことができる。
ｂは１〜２０の数であり、好ましくは１〜５の数であり、より好ましくは１〜２の数である。ｂが１以上であると酸性下での消泡性に優れる。ｂが２０以下であると生分解性に優れる。
ａとｂの合計は６〜３０が好ましく、７〜２０がより好ましく、８〜１５がさらに好ましい。
［（ＥＯ）ａ／（ＢＯ）ｂ］において、ＥＯとＢＯはランダム状に配列していてもよく、ブロック状に配列していてもよい。
【００１９】
（ａ−３）成分として、以下の化合物が好ましい。
式（ａ−３）において、Ｒ１５が炭素数９〜１１のアルキル基、Ｒ１６がＨ、−Ｘ２−が−Ｏ−、ａが７〜９、ｂが１、ｓとｔの合計が８〜１０である化合物。
【００２０】
繊維製品用液体洗浄剤組成物の総質量に対して、（ａ−３）成分の含有量は０．１〜１５質量％が好ましく、０．５〜６質量％がより好ましく、１〜４．５質量％がさらに好ましい。上記範囲の下限値以上であると消泡性に優れ、上限値以下であると液安定性に優れる。
［（ａ−１）成分の含有量］／［（ａ−３）成分の含有量］で表される質量比（以下、（ａ−１）／（ａ−３）比ともいう）は３〜５５が好ましく、４〜２０がより好ましく、５〜１０がさらに好ましい。
上記範囲の下限値以上であると消泡性に優れ、上限値以下であると起泡性に優れる。
【００２１】
繊維製品用液体洗浄剤組成物中の界面活性剤の総質量に対して、（ａ−３）成分の含有量は１〜２５質量％が好ましく、５〜２０質量％がより好ましく、８〜１８質量％がさらに好ましい。上記範囲の下限値以上であると消泡性に優れ、上限値以下であると起泡性に優れる。
【００２２】
式（ａ−１）で表される（Ａ）成分において、ＥＯ又はＰＯの平均繰返し数の分布は、（Ａ）成分を製造する際の反応方法によって変動しやすく、特に限定されない。たとえば、一般的な水酸化ナトリウム、水酸化カリウム等のアルカリ触媒を用いて、エチレンオキシド又はプロピレンオキシドを、炭化水素基を有する開始化合物（１級又は２級の高級アルコール、高級脂肪酸、高級脂肪酸アミド等）に付加させた場合には、比較的広い分布となる傾向にある。一方、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを該炭化水素基を有する開始化合物に付加させた際には、比較的狭い分布となる傾向にある。
【００２３】
（Ａ）成分の具体例としては、三菱化学社製の商品名Ｄｉａｄｏｌ（Ｃ１３、Ｃは炭素数を示す。以下同様。）、Ｓｈｅｌｌ社製の商品名Ｎｅｏｄｏｌ（Ｃ１２とＣ１３との混合物）、Ｓａｓｏｌ社製の商品名Ｓａｆｏｌ２３（Ｃ１２とＣ１３との混合物）等のアルコールに対して、１２モル相当、又は１５モル相当のエチレンオキシドを付加したもの；
Ｐ＆Ｇ社製の商品名ＣＯ−１２１４又はＣＯ−１２７０等の天然アルコールに対して、１２モル相当、又は１５モル相当のエチレンオキシドを付加したもの；
ブテンを３量化して得られるＣ１２アルケンをオキソ法に供して得られるＣ１３アルコールに対して、７モル相当のエチレンオキシドを付加したもの（ＢＡＳＦ社製の商品名Ｌｕｔｅｎｓｏｌ  ＴＯ７）；
ペンタノールをガーベット反応に供して得られるＣ１０アルコールに対して、９モル相当のエチレンオキシドを付加したもの（ＢＡＳＦ社製の商品名Ｌｕｔｅｎｓｏｌ  ＸＰ９０）；
ペンタノールをガーベット反応に供して得られるＣ１０アルコールに対して、７モル相当のエチレンオキシドを付加したもの（ＢＡＳＦ社製の商品名Ｌｕｔｅｎｓｏｌ  ＸＬ７０）；
ペンタノールをガーベット反応に供して得られるＣ１０アルコールに対して、６モル相当のエチレンオキシドを付加したもの（ＢＡＳＦ社製の商品名Ｌｕｔｅｎｓｏｌ  ＸＡ６０）；
炭素数１２〜１４の第２級アルコールに対して、９モル相当、又は１５モル相当のエチレンオキシドを付加したもの（日本触媒社製の商品名ソフタノール９０、ソフタノール１５０）等が挙げられる。
さらには、ヤシ脂肪酸メチル（ラウリン酸／ミリスチン酸＝８／２）に対して、アルコキシル化触媒を用いて、１５モル相当の酸化エチレンを付加したもの（ポリオキシエチレンヤシ脂肪酸メチルエステル（ＥＯ１５モル）も挙げられる。
【００２４】
（Ａ）成分として、特に洗浄性の点で、式（ａ−１）中、Ｘが−Ｏ−である、ポリオキシエチレンアルキルエーテル（ＡＥ）、ポリオキシエチレンポリオキシプロピレンアルキルエーテル（ＥＯＰＯ型ノニオン）等のポリオキシアルキレン型ノニオン界面活性剤；もしくは、式（ａ−１）中、Ｘが−Ｃ（Ｏ）Ｏ−である、脂肪酸エステル型非イオン界面活性剤が好ましい。より好ましくは脂肪酸エステル型非イオン界面活性剤である。
（Ａ）成分は１種類を単独で用いてもよく、２種類以上を組合わせて用いてもよい。
【００２５】
（Ａ）成分の含有量は、繊維製品用液体洗浄剤組成物の総質量に対し、８質量％以上であり、１５質量％以上が好ましい。
（Ａ）成分の含有量は、繊維製品用液体洗浄剤組成物の総質量に対し、５０質量％以下が好ましく、４０質量％以下がより好ましく、３０質量％以下がさらに好ましい。
具体的には、（Ａ）成分の含有量は、繊維製品用液体洗浄剤組成物の総質量に対し、８〜５０質量％が好ましく、１５〜４０質量％がより好ましく、１５〜３０質量％がさらに好ましい。
上記下限値以上であると、充分な尿臭除去効果を付与しやすい。
上記上限値以下であると、安定性を向上しやすく、酸素ガス吸収抑制効果を向上しやすい。
【００２６】
＜（Ｂ）成分＞
（Ｂ）成分は有機カルボン酸である（ただし（Ｃ）成分に該当するものを除く）。有機カルボン酸としては、カルボキシ基とヒドロキシ基を有するヒドロキシカルボン酸（クエン酸、酒石酸、リンゴ酸、乳酸等）、シュウ酸、及びマロン酸が挙げられる。
（Ｂ）成分は１種類を単独で用いてもよく、２種類以上を組合せて用いてもよい。
（Ｂ）成分がヒドロキシカルボン酸を含むことが好ましい。ヒドロキシカルボン酸の中でも、性能や供給性の観点から、クエン酸、酒石酸、リンゴ酸、及び乳酸が好ましく、クエン酸、及び酒石酸がさらに好ましく、クエン酸が特に好ましい。
【００２７】
（Ｂ）成分の含有量は、繊維製品用液体洗浄剤組成物の総質量に対し、５質量％以上であり、５〜２０質量％が好ましく、７〜１２質量％がより好ましい。
上記下限値以上であると、尿臭除去効果を向上しやすい。
上記上限値以下であると、安定性を向上しやすい。
【００２８】
（Ａ）成分／（Ｂ）成分で表される質量比（以下、Ａ／Ｂ比ともいう）は、１．６以上が好ましく、１．８〜８がより好ましく、２．０〜４がさらに好ましい。
上記下限値以上であると、尿臭除去効果を向上しやすい。
上記上限値以下であると、尿臭除去効果を向上しやすく、組成物の安定性を向上しやすい。
【００２９】
＜（Ｃ）成分＞
（Ｃ）成分は、酸化防止剤である。（Ｃ）成分としては、ＢＨＴ（ジブチルヒドロキシトルエン）、ＢＨＡ（ブチルヒドロキシアニソール）、ビタミンＥ（トコフェロール）、エリソルビン酸ナトリウム、メトキシフェノール、二酸化硫黄、コーヒー豆抽出物（クロロゲン酸）、緑茶抽出物（カテキン）、及びローズマリー抽出物等が挙げられる。
（Ｃ）成分は１種類を単独で用いてもよく、２種類以上を組合わせて用いてもよい。
【００３０】
（Ｃ）成分の含有量は、繊維製品用液体洗浄剤組成物の総質量に対し、０．０００１〜０．２質量％であり、０．００１〜０．０５質量％が好ましい。
上記下限値以上であると、酸素ガス吸収抑制効果を向上しやすい。
上記上限値以下であると、液体組成物の外観安定性を向上しやすい。
【００３１】
（Ｂ）成分／（Ｃ）成分で表される質量比（以下、Ｂ／Ｃ比ともいう）は、２５以上が好ましく、５０〜２０００００がより好ましく、１５０〜１００００がさらに好ましい。
上記下限値以上であると、尿臭除去効果を向上しやすい。
上記上限値以下であると、酸素ガス吸収抑制効果を向上しやすい。
【００３２】
＜その他の任意成分＞
本発明の繊維製品用液体洗浄剤組成物は、上記の成分及び水以外に、液体洗浄剤に用いられている公知の成分を適宜含有させることができる。
例えば、抗菌剤（以下、（Ｄ）成分ともいう）、アニオン界面活性剤（以下、（Ｅ）成分ともいう）、両性界面活性剤、酵素、ｐＨ調整剤、水混和性有機溶媒、金属イオン捕捉剤、防腐剤、風合い向上剤、移染防止剤、再汚染防止剤、パール剤、ソイルリリース剤、ハイドロトロープ剤、着香剤、着色剤、乳濁剤、蛍光剤、エキス等の任意成分が挙げられる。
【００３３】
水の含有量は、繊維製品用液体洗浄剤組成物の総質量に対して、４０〜８０質量％が好ましく、５０〜７０質量％がより好ましい。
各成分の合計の含有量は、繊維製品用液体洗浄剤組成物の総質量に対して、１００質量％を超えない。
【００３４】
＜（Ｄ）成分＞
（Ｄ）成分は抗菌剤である。（Ｄ）成分としては、下記（ｄ−１）成分、（ｄ−２）成分及び（ｄ−３）成分からなる群から選択される少なくとも１種の抗菌剤が好ましい。
（Ｄ）成分の中で好ましくは（ｄ−２）成分、（ｄ−３）成分、より好ましくは（ｄ−２）成分である。（ｄ−２）成分、（ｄ−３）成分を使用することで、低濃度で抗菌性を発現することが可能になり、さらに（ｄ−２）成分は外観安定性が良好である。
（ｄ−１）成分：４級窒素原子の置換基として、直鎖状もしくは分岐鎖状の炭素数１〜１６のアルキル基、直鎖状もしくは分岐鎖状の炭素数１〜１６のアルケニル基、炭素数１〜１６のヒドロキシアルキル基又は炭素数１〜１６のフェニルアルキル基を有する第４級アンモニウム塩。
（ｄ−２）成分：フェノール系抗菌剤。
（ｄ−３）成分：ビグアニド化合物。
【００３５】
（ｄ−１）成分としては、下記式（ｄ−１−１）、（ｄ−１−２）、（ｄ−１−３）で表される第４級アンモニウム塩が挙げられる。
【００３６】
【化１】
2019107543.tif 000002
【００３７】
式（ｄ−１−１）中、Ｒ１〜Ｒ４のうちの２つ以上は、それぞれ独立して、炭素数１〜３のアルキル基、又は炭素数１〜３のヒドロキシアルキル基であり、それ以外は、炭素数８〜１６の直鎖状もしくは分岐鎖状のアルキル基、又は炭素数８〜１６の直鎖状もしくは分岐鎖状のアルケニル基である。Ｚ−は、ハロゲンイオン又はアルキル硫酸イオンである。
【００３８】
【化２】
2019107543.tif 000003
【００３９】
式（ｄ−１−２）中、Ｒ５は、炭素数８〜１６の直鎖状もしくは分岐鎖状のアルキル基、又は炭素数８〜１６の直鎖状もしくは分岐鎖状のアルケニル基である。Ｒ６は、炭素数１〜３のアルキル基、炭素数１〜３のヒドロキシアルキル基、又は炭素数５〜２０の芳香族炭化水素基である。ｘ及びｙは、オキシエチレン基の平均繰り返し数を示し、それぞれ独立して０以上の整数であって、ｘ＋ｙが１０以上である。Ｚ−は、ハロゲンイオン又はアルキル硫酸イオンである。
【００４０】
【化３】
2019107543.tif 000004
【００４１】
式（ｄ−１−３）中、Ｒ７及びＲ８は、それぞれ独立して、炭素数１〜３のアルキル基又は炭素数１〜３のヒドロキシアルキル基であり、Ｒ９は、炭素数８〜１６の直鎖状もしくは分岐鎖状のアルキル基又はアルケニル基であり、Ｒ１０は、炭素数１〜３のアルキレン基である。Ｚ−は、ハロゲンイオン又はアルキル硫酸イオンである。
（ｄ−１）成分の含有量は、繊維製品用液体洗浄剤組成物の総質量に対し、０．００１〜５質量％が好ましく、０．０１〜３質量％がより好ましく、０．２〜２質量％が特に好ましい。
【００４２】
（ｄ−２）成分としては、ダイクロサン（４，４’−ジクロロ−２−ヒドロキシジフェニルエーテル）、トリクロサン（２，４，４’−トリクロロ−２’−ヒドロキシジフェニルエーテル）、クロルチモール、カルバクロル、クロロフェン、ジクロロフェン、ヘキサクロロフェン、クロロキシレノール、クロロクレゾール等のクロロフェノール系抗菌剤；Ｏ−フェニルフェノール、イソプロピルメチルフェノールが挙げられ、なかでもダイクロサンが好ましい。
（ｄ−２）成分の含有量は、繊維製品用液体洗浄剤組成物の総質量に対し、０．００１〜２質量％が好ましく、０．０１〜０．５質量％がより好ましく、０．０２〜０．１質量％が特に好ましい。
【００４３】
（ｄ−３）成分としては、下記一般式（ｄ−３−１）で表される構造を有するビグアニド系化合物や塩酸クロロヘキシジン（１，１’−Ｈｅｘａｍｅｔｈｙｌｅｎｅ  ｂｉｓ  ［５−（４−ｃｈｌｏｒｏｐｈｅｎｙｌ）ｂｉｇｕａｎｉｄｅ］  ｄｉｈｙｄｒｏｃｈｌｏｒｉｄｅ）などを用いることができる。
−［Ｒ１１−ＮＨ−Ｃ（ＮＨ）−ＮＨ−Ｃ（ＮＨ）−ＮＨ］ｎ−  ｎ・ＨＹ  ・・・（ｄ−３−１）
式（ｄ−３−１）中、Ｒ１１は炭素数２〜８のアルキレン基であり、好ましくは炭素数４〜８のアルキレン基であり、特にヘキサメチレン基であり、ｎは２〜１４であり、好ましくは１０〜１４であり、より好ましくは１１〜１３であり、特に好ましくは１２である。ＨＹは有機酸又は無機酸を示し、好ましくは塩酸、グルコン酸又は酢酸であり、特に塩酸が最も好ましい。
（ｄ−３）成分としては、一般式（ｄ−３−１）においてＲ１１がヘキサメチレン基であり、ｎが１０〜１４であるものが好適であり、更にはｎが１１〜１３であるポリヘキサメチレンビグアニド塩酸塩が最も好適である。好ましいポリヘキサメチレンビグアニド抗菌剤は市販のものを用いることが出来き、上記一般式（ｄ−３−１）のＲ１１がヘキサメチレン基であり、ｎが１２であり、ＨＹが塩酸である、ポリ（ヘキサメチレンビグアニド）塩酸塩（商品名Ｐｒｏｘｅｌ  ＩＢ（登録商標））を使用することが出来る。
（ｄ−３）成分の含有量は、繊維製品用液体洗浄剤組成物の総質量に対し、０．００１〜３質量％が好ましく、０．００５〜０．５質量％がより好ましく、０．０１〜０．１質量％が特に好ましい。
（Ｄ）成分は１種類を単独で用いてもよく、２種類以上を組合わせて用いてもよい。
【００４４】
（Ｄ）成分の含有量は、繊維製品用液体洗浄剤組成物の総質量に対し、０．００１質量％以上が好ましく、０．００５〜５質量％がより好ましく、０．０１〜３質量％がさらに好ましい。
上記下限値以上であると、尿臭除去効果、抗菌性を向上しやすい。
上記上限値以下であると、再汚染防止効果（汚れが再度被洗物に付着するのを防止する効果）を向上しやすい。
【００４５】
＜（Ｅ）成分＞
（Ｅ）成分はアニオン界面活性剤（ただし、（Ｂ）成分に該当するものを除く）である。本明細書において、「高級」脂肪酸とは、「炭素数８〜２２の」脂肪酸を意味する。（Ｅ）成分としては、特に限定されず、繊維製品用等の洗浄剤に通常用いられているアニオン界面活性剤が挙げられる。
（Ｅ）成分としては、例えば、高級脂肪酸塩；直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルカンスルホン酸塩；α−スルホ脂肪酸エステル塩；脂肪酸又はその塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩、マグネシウム等のアルカリ土類金属塩、モノエタノールアミン塩、ジエタノールアミン塩などのアルカノールアミン塩等が挙げられる。
【００４６】
上記のうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルのエチレンオキシドを付加したポリオキシエチレンアルキルエーテル硫酸エステル塩又はポリオキシエチレンアルケニルエーテル硫酸エステル塩が好ましい。
アルカンスルホン酸塩としては、炭素数１０〜２０、好ましくは１４〜１７のアルキル基を有する２級アルカンスルホン酸塩が好ましい。
α−スルホ脂肪酸エステル塩としては、炭素数１０〜２０のα−スルホ脂肪酸エステル塩が好ましい。
脂肪酸又はその塩としては、炭素数１０〜２０の脂肪酸又はその塩が好ましい。
これらの中でも、尿臭移り防止効果や安定性が高められやすい点から、（Ｅ）成分として、直鎖アルキルベンゼンスルホン酸又はその塩を用いることが好ましい。
（Ｅ）成分は１種類を単独で用いてもよく、２種類以上を組合わせて用いてもよい。
【００４７】
（Ｅ）成分の含有量は、繊維製品用液体洗浄剤組成物の総質量に対し、２．５質量％以上であり、２．５〜２０質量％が好ましく、３〜１５質量％がより好ましく、４〜１０質量％がさらに好ましい。
上記下限値以上であると、充分な尿臭移り防止効果を付与しやすい。
上記上限値以下であると、安定性を向上しやすい。
【００４８】
繊維製品用液体洗浄剤組成物の総質量に対して、界面活性剤の総質量は５〜４０質量％が好ましく、１０〜３５質量％がより好ましく、１５〜３０質量％がさらに好ましい。上記範囲の下限値以上であると洗浄力に優れ、上限値以下であると繊維製品用液体洗浄剤組成物の安定性に優れる。
【００４９】
（Ｄ）成分、及び（Ｅ）成分以外のその他の任意成分の合計の含有量は特に限定されないが、例えば、繊維製品用液体洗浄剤組成物の総質量に対し、１０質量％以下が好ましく、７質量％以下がより好ましく、５質量％以下がさらに好ましい。
着香剤としては、通常洗剤に配合できるものが使用でき、洗剤の香料として使用される香料原料のリストは、様々な文献、例えば「Ｐｅｒｆｕｍｅ  ａｎｄ  ＦｌａｖｏｒＣｈｅｍｉｃａｌｓ」，Ｖｏｌ．ＩａｎｄＩＩ，Ｓｔｅｆｆｅｎ  Ａｒｃｔａｎｄｅｒ，ＡｌｌｕｒｅｄＰｕｂ．Ｃｏ．（１９９４）及び「合成香料  化学と商品知識」、印藤元一著、化学工業日報社（１９９６）及び「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）及び「香りの百科」、日本香料協会編、朝倉書店（１９８９）及び「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）及び「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られ、それぞれを引用することにより本明細書の開示の一部とされる。
本発明の繊維製品用液体洗浄剤組成物は、着香剤として香料組成物を配合することが好ましく、その配合量は、繊維製品用液体洗浄剤組成物の総質量に対し、０．０１〜２質量％、好ましくは０．０５〜１質量％、より好ましくは０．１〜０．５質量％である。
【００５０】
ｐＨ調整剤としては、塩酸、硫酸、リン酸等の無機酸、水酸化ナトリウム、水酸化カリウム、アルカノールアミン、及びアンモニア等が挙げられる。これらのなかでも、液体洗浄剤の経時安定性の面から、硫酸、水酸化ナトリウム、水酸化カリウム、及びアルカノールアミンが好ましく、硫酸、及び水酸化ナトリウムが好ましい。ｐＨ調整剤は、１種を単独で用いてもよく、２種以上を併用してもよい。
【００５１】
「水混和性有機溶媒」とは、２５℃のイオン交換水１Ｌに５０ｇ以上溶解する有機溶媒であり、液体洗浄剤において公知のものを使用できる。
例えば、エタノール、１−プロパノール、２−プロパノール、１−ブタノール等の炭素数２〜４の一価アルコール；エチレングリコール、プロピレングリコール、ブチレングリコール、トリエチレングリコール、テトラエチレングリコール、質量平均分子量約２００〜５０００のポリエチレングリコール、メトキシポリエチレングリコール、及びグリセリン等の炭素数２〜４の多価アルコール；及びエチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル、及びダイセル社製セルトールＥＤＧＡＣ（ジエチレングリコールモノエチルエーテルアセテート）等のグリコールエーテル系溶剤、３−メトキシブタノール、３−メトキシ−３−メチルブタノール、３−メトキシ−２メチルブタノール、３メトキシ−１−メチルブタノール、３−メトキシ−３−メチルブチルアセテート、１，３−ジオキソラン、２−メチル−１，３−ジオキソラン、２，２−ジメチル−１，３−ジオキソラン、２，２−ジメチル−１，３−ジオキソラン−４−メタノール、２−イソブチル−２−メチル−１，３−ジオキソラン−４−メタノール、２，２−ジメチル−１，３−ジオキソラン−４−エタノールが挙げられる。
【００５２】
本発明の繊維製品用液体洗浄剤組成物は、２５℃におけるｐＨが７未満であり、２〜６が好ましく、３〜５がより好ましい。ｐＨがこのような範囲にあると、尿臭除去効果を向上しやすくなる。
繊維製品用液体洗浄剤組成物のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー株式会社製）により測定される値を意味する。
本発明の繊維製品用液体洗浄剤組成物の各成分の含有量の合計は、１００質量％を超えない。
【００５３】
＜製造方法＞
本発明の繊維製品用液体洗浄剤組成物は、従来公知の液体洗浄剤の製造方法に準じて製造することができる。例えば、分散媒である水の一部に、ｐＨ調整剤を除く各成分を加えて混合した後、ｐＨ調整剤を添加して任意のｐＨに調整した後、水の残部を加えて全体量を１００質量％として、繊維製品用液体洗浄剤組成物とする。
本発明の繊維製品用液体洗浄剤組成物製品の使用方法は、上記製造方法で得られた繊維製品用液体洗浄剤組成物を可撓性容器に充填することを含む。
【００５４】
＜使用方法＞
本発明の繊維製品用液体洗浄剤組成物製品の使用方法は、繊維製品用液体洗浄剤製品における可撓性容器に収容された繊維製品用液体洗浄剤組成物を希釈した洗浄液に、ｐ−クレゾールが付着した繊維製品を接触させる工程を含む。ｐ−クレゾールは尿が乾燥した後に残る臭気に含まれる。ｐ−クレゾールが加齢臭や皮脂臭と混ざることで、より不快な臭気になる。
繊維製品としては、例えば、繊維素材、中間製品、最終製品が挙げられる。
繊維素材としては、例えば、綿、麻、絹、毛（羊毛等）、化学繊維（ポリエステル、ポリアミド等）が挙げられる。
中間製品としては、例えば、糸、織物、編物、フェルトが挙げられる。
最終製品としては、例えば、衣料、ふきん、寝具（シーツ、枕カバー等）、床敷物、室内装飾品（カーテン等）が挙げられる。
本発明の繊維製品用液体洗浄剤組成物の使用方法は、繊維製品用液体洗浄剤組成物を希釈した洗浄液に、ｐ−クレゾールが付着した繊維製品を接触させる工程を含む。
洗浄液は、繊維製品用液体洗浄剤組成物を１００〜３０００倍希釈（質量基準）に希釈して調製することが好ましい。希釈する溶剤は水が好ましい。
ｐ−クレゾールが付着した繊維製品を接触させる方法としては、洗浄液をｐ−クレゾールが付着した繊維製品に塗布すること、及び繊維製品を洗浄液に浸すこと、等が挙げられる。
ｐ−クレゾールが付着した繊維製品を接触させる時間は、５〜３０分間が好ましい。
ｐ−クレゾールが付着した繊維製品を接触させる温度は、１５〜４５℃が好ましい。
本発明の繊維製品用液体洗浄剤組成物の使用方法としては、例えば、繊維製品用液体洗浄剤組成物を単独で、又は公知の漂白剤や柔軟剤と共に水に入れて洗浄液とし、この洗浄液に被洗物を入れ洗濯機で洗浄する方法、洗浄液に被洗物を一定時間漬け置きした後、その後、洗濯機で洗浄する方法等が挙げられる。
本発明の繊維製品用液体洗浄剤組成物は、高齢者や要介護者の衣料（以下、介護用品ともいう）を洗浄するために好ましく用いられる。また発明の繊維製品用液体洗浄剤組成物は、高齢者や要介護者の衣料の洗浄に限定されるものでなく、尿汚れのある衣類、例えば軽失禁による尿汚れ衣類、乳幼児の尿汚れ衣類、又はペットの尿汚れ衣類やマット等にも好適に用いることができる。
【実施例】
【００５５】
以下に実施例を用いて本発明をさらに詳しく説明するが、本発明はこれら実施例に限定されるものではない。
表２及び３に示す組成に従い各成分を混合し、ｐＨ調整剤を加えてｐＨが表２及び３に示す値となるよう調製して各組成物を得た。
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。【００５６】
＜（Ａ）成分＞
・ａ−１：ポリオキシエチレンアルキル（炭素数１２〜１４）エーテル（ＥＯの平均付加モル数１５）、商品名「ＬＭＡＯ−９０」、ライオン・スペシャリティ・ケミカルズ株式会社製。式（ａ−１）中、Ｒ１２＝炭素数１２〜１４のアルキル基、Ｘ＝Ｏ、ｓ＝１５、ｔ＝０、Ｒ１３＝Ｈ。
＜（Ｂ）成分＞
・ｂ−１：クエン酸、商品名「くえん酸」、関東化学株式会社製。
・ｂ−２：Ｌ（＋）−酒石酸、商品名「Ｌ（＋）−Ｔａｒｔａｒｉｃ  Ａｃｉｄ」、和光純薬社製。
・ｂ−３：乳酸、商品名「ＰＵＲＡＣ  ＨＳ５０」、コービオンジャパン株式会社製。
＜（Ｃ）成分＞
・ｃ−１：ＢＨＴ、商品名「ＳＵＭＩＬＺＥＲ  ＢＨＴ−Ｒ」、住友化学株式会社製。
・ｃ−２：ｐ−メトキシフェノール、商品名「ＭＱ−Ｆ」、川口化学工業（株）製。
＜任意成分＞
・ＰＥＧ：ポリエチレングリコール（水混和性有機溶媒）、ライオン社製、商品名「ＰＥＧ１０００」。
・安息香酸ナトリウム：安息香酸ナトリウム（防腐剤）、東亜合成株式会社製。
・香料：表１の香料組成物。
・ｐＨ調整剤（ＮａＯＨ）：鶴見曹達（株）製、商品名：水酸化ナトリウム。
・ｐＨ調整剤（硫酸）：和光純薬工業（株）製、商品名：硫酸。
・水。【００５７】
＜尿臭除去効果の評価＞
（１）尿臭を有する衣料の調製
一辺が５ｃｍの正方形に裁断した、綿肌着（ユニクロ製スーピマコットン）１枚に、ｐ−クレゾール０．１質量％、リン酸三カルシウム１質量％、ゼラチン１質量％、及び水からなる組成物２００μＬを塗布し、４０℃で３０分静置した。これを５回繰り返して作製した布５枚を試験布とした。
（２）組成物による洗浄
この試験布について下記のように洗浄試験を行った。
洗浄試験器として、Ｔｅｒｇ−Ｏ−ｔｏｍｅｔｅｒ（ＵＮＩＴＥＤ  ＳＴＡＴＥＳ  ＴＥＳＴＩＮＧ社製）を用いた。洗浄液としては、水９００ｍＬに表２及び３の液体洗浄剤が８３３ｐｐｍになるように加え３０秒間撹拌して調製したものを用いた。前記洗浄試験器に、前記洗浄液９００ｍＬと、前記試験布５枚と、洗浄メリヤス布とを投入し、浴比２０倍に合わせて、１２０ｒｐｍ、１５℃で２０分間洗浄した。次に、二槽式洗濯機（三菱電機社製：製品名ＣＷ−Ｃ３０Ａ１−Ｈ１）に移し、１分間脱水後、水道水（１５℃、４゜ＤＨ）３０Ｌ中で３分間濯ぎ、再度１分間脱水した。
（３）尿臭の官能評価
各パネラーが試験布５枚の臭いを嗅いで、下記の評価基準に基づいて臭気強度を６段階で評価し、各パネラー毎に５枚の臭気強度の平均点を算出する方法で行った。臭気強度の点数が高いほど臭気が弱いことを表す。
また官能評価の平均点（６名の平均点）に基づいて、下記の基準で消臭効果を評価した。
（臭気強度の評価）
５点：異臭が全くしない。
４点：異臭がやっと感知できる程度に感じられる。
３点：異臭が弱く感じられる。
２点：異臭がやや強く感じられる。
１点：異臭が強く感じられる。
０点：異臭が強烈に感じられる。
（評価基準）
◎：官能評価の平均点が３．０以上。
○：官能評価の平均点が２．５〜２．９。
△：官能評価の平均点が２．０〜２．４。
×：官能評価の平均点が１．９以下。【００５８】
＜酸素ガス吸収抑制効果の評価＞
２０ｍＬヘッドスペース用クリンプバイアルに各組成物１５．００ｇを入れ、完全に密閉した。
５０℃１ヶ月保存後のバイアル中ヘッドスペースの酸素ガス濃度をＧＣ−ＭＳで測定した。
得られた酸素ガス濃度から、以下の評価基準に基づいて、酸素ガス吸収抑制効果を評価した。残存酸素ガス濃度が高いほど、酸素ガス吸収抑制効果に優れる。
（評価基準）
◎：ヘッドスペース中の残存酸素ガス濃度が１８％以上。
○：ヘッドスペース中の残存酸素ガス濃度が１０％以上１８％未満。
×：ヘッドスペース中の残存酸素ガス濃度が１０％未満。【００５９】
【表１】
2019107543.tif 000005
【００６０】
【表２】
2019107543.tif 000006
【００６１】
【表３】
2019107543.tif 000007
【００６２】
表２〜３の結果から、本発明を適用した実施例１〜１６は、尿臭除去効果、及び酸素ガス吸収抑制効果において優れていた。
（Ａ）成分の含有量が８質量％未満である比較例１は、尿臭除去効果において劣っていた。
（Ｃ）成分を含まない比較例２は、酸素ガス吸収抑制効果において劣っていた。
ｐＨが７．０である比較例３は、尿臭除去効果において劣っていた。
（Ｂ）成分を含まない比較例４は、尿臭除去効果において劣っていた。
（Ｂ）成分の含有量が５質量％未満である比較例５は、尿臭除去効果において劣っていた。【００６３】
＜実施例１７＞
ａ−１の量を２０質量％に変更し、さらに、式（ａ−３）で表されるノニオン界面活性剤（式（ａ−３）中、Ｒ１５が炭素数１０のアルキル基、Ｒ１６がＨ、−Ｘ２−が−Ｏ−、ａが８、ｂが１である化合物。）を４質量％添加したこと以外は、実施例１と同様にして、繊維製品用液体洗浄剤組成物を得た。ａ／ｂ＝２，ｂ／ｃ＝３３３３，ａ／ｃ＝６６６７，ｐＨ＝３．２であった。
実施例１と同様に、尿臭除去効果、及び酸素ガス吸収抑制効果について評価し、いずれも◎であった。さらに、下記の通り、起泡性、及び消泡性について評価し、いずれも◎であった。【００６４】
＜起泡性及び消泡性の評価方法＞
各例の液体洗浄剤０．２５ｇを、２５℃に調温した水道水１００ｍＬに溶解して洗浄液とした。洗浄液２０ｍＬをエプトン管に入れ、エプトン管を手で１ストローク／秒で２０回振盪した。
エプトン管の振盪が終了した直後及び５分後に、それぞれの泡の量（ｍＬ；泡と洗浄液との境界から、泡の上端面までの体積）をエプトン管の目盛で読み取った。
泡の量を指標とし、下記の評価基準に基づいて評価した。直後の泡の量が多いほど起泡性に優れ、５分後の泡の量が少ないほど消泡性に優れることを意味する。
（起泡性の評価基準）
◎：直後の泡の量が２０ｍＬ以上。
〇：直後の泡の量が１６ｍＬ以上、２０ｍＬ未満。
△：直後の泡の量が１３ｍＬ以上、１６ｍＬ未満。
×：直後の泡の量が１３ｍＬ未満。
（消泡性の評価基準）
◎：５分後の泡の量が１０ｍＬ未満。
〇：５分後の泡の量が１０ｍＬ以上、１５ｍＬ未満。
△：５分後の泡の量が１５ｍＬ以上、２０ｍＬ未満。
×：５分後の泡の量が２０ｍＬ以上。【００６５】
＜実施例１８＞
ａ−１の量を２０質量％に変更し、さらに、アニオン界面活性剤（ＬＡＳ、炭素数１０〜１４のアルキル基を有する直鎖状又は分岐鎖状のアルキルベンゼンスルホン酸、商品名「ライポン（登録商標）ＬＨ−２００」、ライオン株式会社製。）を４質量％添加したこと以外は、実施例１と同様にして、繊維製品用液体洗浄剤組成物を得た。ａ／ｂ＝２，ｂ／ｃ＝３３３３，ａ／ｃ＝６６６７，ｐＨ＝３．２であった。
実施例１と同様に、尿臭除去効果、及び酸素ガス吸収抑制効果について評価し、いずれも◎であった。さらに、下記の通り、尿臭移り防止効果について評価し、〇であった。【００６６】
＜尿臭移り防止効果の評価＞
（１）尿臭を有する衣料の調製
要介護者のいる１０家庭から、綿パジャマの下穿きを尿モレ後に回収した。回収対象は、１年以上使用しており、尿モレ頻度が３回以上／週、かつ普段洗濯をしても尿臭が落ちていない衣類とした。回収後パネラーが下記（３）の官能評価に従い、臭気強度０点もしくは１点を選定した上で、さらに、ｐ−クレゾール量が多い衣類に特長的な「重く独特で重く陰鬱なニオイ」がする衣類４家庭分を選定した。これを一辺が４ｃｍの正方形に裁断し、試験布とした。
（２）組成物による洗浄
この試験布について下記のように洗浄試験を行った。洗浄試験器として、Ｔｅｒｇ−Ｏ−ｔｏｍｅｔｅｒ（ＵＮＩＴＥＤ  ＳＴＡＴＥＳ  ＴＥＳＴＩＮＧ社製）を用いた。洗浄液としては、水９００ｍＬに表２および３の繊維製品用液体洗浄剤組成物が８３３ｐｐｍになるように加え、３０秒間撹拌して調製した洗浄液を用いた。前記洗浄試験器に、前記洗浄液９００ｍＬと、前記試験布５枚と、湿式人工汚染布（財団法人洗濯科学協会製）５枚と、湿式人工汚染布（商品名「ＥＭＰＡ１１６」、ＥＭＰＡ製）５枚と、尿臭移り評価布として綿肌シャツ（ＬＬサイズ、Ｂ．Ｖ．Ｄ．社製）を一辺が４ｃｍの正方形に裁断したものを５枚と、洗浄メリヤス布とを投入し、浴比２０倍に合わせて、１２０ｒｐｍ、１５℃で２０分間洗浄した。次に、二槽式洗濯機（三菱電機社製：製品名ＣＷ−Ｃ３０Ａ１−Ｈ１）に移し、１分間脱水後、水道水（１５℃、４゜ＤＨ）３０Ｌ中で３分間濯ぎ、再度１分間脱水した。
（３）尿臭移りの官能評価
各パネラーが、１家庭分の尿臭移り評価布５枚を１組として、４組の臭いを嗅いで、下記の評価基準に基づいて臭気強度を６段階で評価し、各パネラー毎に４組の臭気強度の平均点を算出する方法で行った。臭気強度の点数が高いほど臭気が弱いことを表す。また官能評価の平均点（６名の平均点）に基づいて、下記の基準で消臭効果を評価した。
（臭気強度の評価）
５点：異臭が全くしない。
４点：異臭がやっと感知できる程度に感じられる。
３点：異臭が弱く感じられる。
２点：異臭がやや強く感じられる。
１点：異臭が強く感じられる。
０点：異臭が強烈に感じられる。
（評価基準）
〇：官能評価の平均点が４．０以上。
△：官能評価の平均点が３．０〜３．９。
×：官能評価の平均点が２．９以下。【００６７】
＜実施例１９＞
さらに抗菌剤（塩化アルキル（炭素数１２）トリメチルアンモニウム、ライオンアクゾ社製、商品名「アーカード１２−３７Ｗ」。）を１質量％添加したこと以外は、実施例１と同様にして、繊維製品用液体洗浄剤組成物を得た。ａ／ｂ＝２．５，ｂ／ｃ＝３３３３，ａ／ｃ＝８３３３，ｐＨ＝３．２であった。
実施例１と同様に、尿臭除去効果、及び酸素ガス吸収抑制効果について評価し、いずれも◎であった。さらに、下記の通り、抗菌性について評価し、◎であった。【００６８】
＜実施例２０＞
さらに抗菌剤（ダイクロサン（４，４’−ジクロロ−２−ヒドロキシジフェニルエーテル）、商品名「ＴＩＮＯＳＡＮ  ＨＰ１００」、ＢＡＳＦ社製。）を０．１質量％添加したこと以外は、実施例１と同様にして、繊維製品用液体洗浄剤組成物を得た。ａ／ｂ＝２．５，ｂ／ｃ＝３３３３，ａ／ｃ＝８３３３，ｐＨ＝３．２であった。
実施例１と同様に、尿臭除去効果、及び酸素ガス吸収抑制効果について評価し、いずれも◎であった。さらに、下記の通り、抗菌性について評価し、◎であった。【００６９】
＜抗菌性の評価＞
（１）用いるサンプル
尿臭除去効果評価後の試験布を用いた。
（２）部屋干し条件
洗浄後の試験布を、２４℃、相対湿度９５％ＲＨの室内に８時間網上に並べて部屋干し条件とした。
（３）尿臭の官能評価
尿臭除去性能評価と同様に行った。各パネラーが１家庭分の試験布４枚を１組として４組の臭いを嗅いで、下記の評価基準に基づいて臭気強度を６段階で評価し、各パネラー毎に４組の臭気強度の平均点を算出する方法で行った。臭気強度の点数が高いほど臭気が弱いことを表す。
また官能評価の平均点（６名の平均点）に基づいて、下記の基準で抗菌性を評価した。
（臭気強度の評価）
５点：異臭が全くしない。
４点：異臭がやっと感知できる程度に感じられる。
３点：異臭が弱く感じられる。
２点：異臭がやや強く感じられる。
１点：異臭が強く感じられる。
０点：異臭が強烈に感じられる。
（評価基準）
◎：官能評価の平均点が３．０以上。 
〇：官能評価の平均点が２．５〜２．９。
△：官能評価の平均点が２．０〜２．４。
×：官能評価の平均点が１．９以下。 
【産業上の利用可能性】
【００７０】
本発明によれば、尿臭除去効果及び酸素ガス吸収抑制効果に優れた繊維製品用液体洗浄剤製品を提供することができる。
【符号の説明】
【００７１】
１  繊維製品用液体洗浄剤製品
１０  繊維製品用液体洗浄剤組成物
１００  ボトル
１１０  ボトル用キャップ
【図１】
2019107543.tif 000008
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
（Ａ）成分、（Ｂ）成分、及び（Ｃ）成分を含有する繊維製品用液体洗浄剤組成物を可撓性容器に収容してなる繊維製品用液体洗浄剤製品であって、
前記（Ａ）成分がノニオン界面活性剤であり、
前記（Ｂ）成分が有機カルボン酸（ただし前記（Ｃ）成分に該当するものを除く）であり、
前記（Ｃ）成分が酸化防止剤であり、
前記（Ａ）成分の含有量が、繊維製品用液体洗浄剤組成物の総質量に対し、８質量％以上であり、
前記（Ｂ）成分の含有量が、繊維製品用液体洗浄剤組成物の総質量に対し、５質量％以上であり、
前記（Ｃ）成分の含有量が、繊維製品用液体洗浄剤組成物の総質量に対し、０．０００１〜０．２質量％であり、
水の含有量が、繊維製品用液体洗浄剤組成物の総質量に対し、４０〜８０質量％であり、
２５℃におけるｐＨが７未満である、繊維製品用液体洗浄剤製品。
【請求項２】
前記繊維製品用液体洗浄剤組成物がさらに（Ｄ）成分を含有し、
前記（Ｄ）成分が抗菌剤である、請求項１に記載の繊維製品用液体洗浄剤製品。
【請求項３】
前記繊維製品用液体洗浄剤組成物がさらに（Ｅ）成分を含有し、
前記（Ｅ）成分がアニオン界面活性剤である、請求項１又は２に記載の繊維製品用液体洗浄剤製品。
【請求項４】
前記（Ａ）成分が、下記式（ａ−１）で表される化合物、及び下記式（ａ−３）で表される化合物を含む、請求項１〜３のいずれか一項に記載の繊維製品用液体洗浄剤製品。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−、又は−Ｃ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
Ｒ１５−Ｘ２−［（ＥＯ）ａ／（ＢＯ）ｂ］−Ｒ１６  ・・・（ａ−３）
式（ａ−３）中、Ｒ１５は炭素数８〜２４の１価の炭化水素基であり、Ｘ２は−Ｏ−、−Ｃ（Ｏ）Ｏ−又は−Ｃ（Ｏ）ＮＨ−であり、Ｒ１６は水素原子、炭素数１〜６のアルキル基、又は炭素数２〜６のアルケニル基であり、ａはＥＯの平均繰り返し数を表し、１〜３０の数であり、ｂはＢＯの平均繰り返し数を表し、１〜２０の数であり、ＥＯはオキシエチレン基を表し、ＢＯはオキシブチレン基を表し、ＥＯとＢＯとは混在して配列してもよい。
【請求項５】
請求項１〜４のいずれか一項に記載の繊維製品用液体洗浄剤製品における前記可撓性容器に収容された前記繊維製品用液体洗浄剤組成物を希釈した洗浄液に、ｐ−クレゾールが付着した繊維製品を接触させる工程を含む、繊維製品の洗浄方法。
【国際調査報告】
2019107543.tif 000009
2019107543.tif 000010
2019107543.tif 000011
2019107543.tif 000012